(57)【要約】【課題】迅速な手術を行うことができるとともに、低コスト化を図ることができるドレープを提供すること。【解決手段】ドレープ１は、患者Ｐの身体を覆った使用状態で、患者Ｐの体表の一部を露出させる６つの開口部３ａ、３ｂ、３ｃ、３ｄ、３ｅおよび３ｆを有するドレープ本体２と、ドレープ本体２に連結され、一方の面に粘着剤で構成された粘着剤層を有する帯体５ａ、５ｂ、５ｃ、５ｄ、５ｅおよび５ｆとを備えている。このドレープ１の帯体５ａ、５ｂ、５ｃ、５ｄ、５ｅおよび５ｆには、それぞれ、長手方向の端部または途中に、破断可能な破断部が設けられている。【選択図】図１
2007195825.tif 000002
【特許請求の範囲】
【請求項１】
患者の身体を覆った使用状態で、患者の体表の一部を露出させる少なくとも１つの開口部を有するドレープ本体と、
前記ドレープ本体に連結され、一方の面に粘着剤で構成された粘着剤層を有する帯体とを備え、
前記帯体の長手方向の端部または途中に、破断可能な破断部が設けられていることを特徴とするドレープ。
【請求項２】
前記帯体は、その少なくとも一端が前記開口部の内周部に連結されている請求項１に記載のドレープ。
【請求項３】
前記帯体は、その両端がそれぞれ前記開口部の内周部に連結されている請求項１または２に記載のドレープ。
【請求項４】
前記帯体は、前記開口部をほぼ２等分する位置に配置されている請求項２または３に記載のドレープ。
【請求項５】
前記帯体は、前記開口部の内側に複数配置されている請求項２または３に記載のドレープ。
【請求項６】
前記帯体には、その長手方向に沿ったミシン目が設けられている請求項１ないし５のいずれかに記載のドレープ。
【請求項７】
前記帯体の前記粘着剤層と反対側の面は、疎水性を有する請求項１ないし６のいずれかに記載のドレープ。
【請求項８】
前記ドレープ本体と前記帯体とは、同一の材料で構成されている請求項１ないし７のいずれかに記載のドレープ。
【請求項９】
前記破断部は、ミシン目で構成されている請求項１ないし８のいずれかに記載のドレープ。
【請求項１０】
前記粘着剤層は、前記帯体の両端部の少なくとも一方の端部を除く部分に形成されている請求項１ないし９のいずれかに記載のドレープ。
【請求項１１】
前記粘着剤層に接合された剥離紙をさらに備える請求項１ないし１０のいずれかに記載のドレープ。
【請求項１２】
前記帯体は、前記ドレープ本体から破断された状態で、医療器具を前記開口部から露出した患者の体表に固定するものである請求項１ないし１１のいずれかに記載のドレープ。
【請求項１３】
前記医療器具は、イントロデューサである請求項１２に記載のドレープ。
【請求項１４】
前記使用状態で患者の左鼠径部、右鼠径部、左肘、右肘、左手首および右手首付近に対応する位置にそれぞれ、前記開口部が設けられている請求項１ないし１３のいずれかに記載のドレープ。
【発明の詳細な説明】
【技術分野】
【０００１】
本発明は、ドレープに関する。
【背景技術】
【０００２】
患者に外科手術（例えば、カテーテルによる手術）を施すとき、通常、その患者の身体をドレープで覆う。患者の身体をドレープで覆う（以下、この状態を「使用状態」という）ことにより、例えば、手術により体外に流出した体液（血液）や生理食塩水等の液体の飛散を防止したり、患者の体温低下を防止したり、患者の身体の消毒を施していない部位の露出を防止して術野の清潔域を確保することができる。
【０００３】
このドレープは、シート状のドレープ本体と、ドレープ本体に設けられた複数の開口部とで構成されている（例えば、特許文献１参照）。使用状態では、各開口部から患者の術野が露出され、その術野に対しカテーテルの導入を行うことができる。この導入されたカテーテルは、イントロデューサ（シース）を介して体内に導入される。そして、そのイントロデューサが不本意に位置ズレするのを防止するために、当該イントロデューサの基部が術野に固定用テープにより固定される。
【０００４】
しかしながら、固定用テープは、手術の際には、ドレープとは別に、準備する必要があるため、その準備が煩わしいという問題があった。
【０００５】
また、固定用テープは、感染防止のため使い捨てとされるので、それが使い切られる前に、新たに購入する必要がある。このため、固定用テープを購入するための費用がかさんでいた。
【０００６】
【特許文献１】特開２００４−８１５６６号公報
【発明の開示】
【発明が解決しようとする課題】
【０００７】
本発明の目的は、迅速な手術を行うことができるとともに、低コスト化を図ることができるドレープを提供することにある。
【課題を解決するための手段】
【０００８】
このような目的は、下記（１）〜（１４）の本発明により達成される。
（１）  患者の身体を覆った使用状態で、患者の体表の一部を露出させる少なくとも１つの開口部を有するドレープ本体と、
前記ドレープ本体に連結され、一方の面に粘着剤で構成された粘着剤層を有する帯体とを備え、
前記帯体の長手方向の端部または途中に、破断可能な破断部が設けられていることを特徴とするドレープ。
【０００９】
（２）  前記帯体は、その少なくとも一端が前記開口部の内周部に連結されている上記（１）に記載のドレープ。
【００１０】
（３）  前記帯体は、その両端がそれぞれ前記開口部の内周部に連結されている上記（１）または（２）に記載のドレープ。
【００１１】
（４）  前記帯体は、前記開口部をほぼ２等分する位置に配置されている上記（２）または（３）に記載のドレープ。
【００１２】
（５）  前記帯体は、前記開口部の内側に複数配置されている上記（２）または（３）に記載のドレープ。
【００１３】
（６）  前記帯体には、その長手方向に沿ったミシン目が設けられている上記（１）ないし（５）のいずれかに記載のドレープ。
【００１４】
（７）  前記帯体の前記粘着剤層と反対側の面は、疎水性を有する上記（１）ないし（６）のいずれかに記載のドレープ。
【００１５】
（８）  前記ドレープ本体と前記帯体とは、同一の材料で構成されている上記（１）ないし（７）のいずれかに記載のドレープ。
【００１６】
（９）  前記破断部は、ミシン目で構成されている上記（１）ないし（８）のいずれかに記載のドレープ。
【００１７】
（１０）  前記粘着剤層は、前記帯体の両端部の少なくとも一方の端部を除く部分に形成されている上記（１）ないし（９）のいずれかに記載のドレープ。
【００１８】
（１１）  前記粘着剤層に接合された剥離紙をさらに備える上記（１）ないし（１０）のいずれかに記載のドレープ。
【００１９】
（１２）  前記帯体は、前記ドレープ本体から破断された状態で、医療器具を前記開口部から露出した患者の体表に固定するものである上記（１）ないし（１１）のいずれかに記載のドレープ。
【００２０】
（１３）  前記医療器具は、イントロデューサである上記（１２）に記載のドレープ。
（１４）  前記使用状態で患者の左鼠径部、右鼠径部、左肘、右肘、左手首および右手首付近に対応する位置にそれぞれ、前記開口部が設けられている上記（１）ないし（１３）のいずれかに記載のドレープ。
【発明の効果】
【００２１】
本発明によれば、帯体をドレープ本体から破断するのみで、当該帯体を例えばイントロデューサ等の医療器具を患者に固定する手段として用いることができる。このため、従来のように医療器具を患者に固定するための固定用テープを別途用意する等の煩わしさから開放され、手術の際の準備が簡単となる。これにより、迅速な手術を行うことができる。
【００２２】
また、帯体は、ドレープ本体と一体的に形成されているため、帯体とドレープ本体とを別々に製造するのが省略される。これにより、帯体の製造コストを確実に抑制することができる。
【発明を実施するための最良の形態】
【００２３】
以下、本発明のドレープを添付図面に示す好適な実施形態に基づいて詳細に説明する。
＜第１実施形態＞
図１は、本発明のドレープの第１実施形態を示す平面図、図２は、図１中の一点鎖線で囲まれた領域［Ａ］の拡大詳細図、図３は、図１中の一点鎖線で囲まれた領域［Ａ］を紙面奥側（裏側）から見た拡大詳細図、図４は、図１に示すドレープの使用状態を示す図、図５は、図４中のＢ−Ｂ線断面図である。
【００２４】
なお、図１、図２および図４中、紙面手前側を「表側」といい、紙面奥側を「裏側」という。また、図３中、紙面手前側を「裏側」といい、紙面奥側を「表側」という。また、図５中、上側を「表側」といい、下側を「裏側」という。
【００２５】
図１に示すように、ドレープ１は、例えばＰＴＣＡによる治療を行う等のカテーテル手術を行う際に、患者の身体を覆った状態（以下、この状態を「使用状態」という）で使用されるものである。このドレープ１は、シート状をなすドレープ本体２と、視認部４と、６本の帯体５ａ、５ｂ、５ｃ、５ｄ、５ｅおよび５ｆとを備えている（図１および図２参照）。以下、各部の構成について説明する。
【００２６】
ドレープ本体２は、患者Ｐの身体のほぼ全体を覆うことができる程度の大きさを有したものである。
【００２７】
ドレープ本体２としては、特に限定されないが、可撓性を有するもの、例えば、不織布を用いるのが好ましい。この不織布は、その構成材料として、例えば、ポリウレタン、ポリビニルアルコール、ポリプロピレン、ポリエーテルポリアミド、ポリエチレンテレフタレート、ポリブチレンテレフタレート等の合成樹脂、ウッドパルプ等の天然繊維が挙げられ、これらのうちの１種または２種以上を混合したものを用いることができる。
【００２８】
また、ドレープ本体２の表面には、親水化処理が施されているもしくは、ドレープ本体２が吸水性を有する素材で構成されていることが好ましい。これにより、患者Ｐから流出した体液（例えば、血液）や手術に使用された生理食塩水等の液体を吸収することができ、よって、例えば、この液体により手元が滑りやすくなり手術が行われ難くなるのを防止したり、液体が手術室の床面に飛散して床面を汚染するのを防止することができる。
【００２９】
親水化処理としては、特に限定されないが、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、ポリグリシジルメタクリレート−ジメチルアクリルアミド（ＰＧＭＡ−ＤＭＡＡ）のブロック共重合体）、水溶性ナイロン、ポリビニルアルコール、ポリビニルピロリドン等の親水性材料で構成された被膜の形成等が挙げられる。
【００３０】
被膜は、布状に形成されたドレープ本体２の表面に形成するか、もしくは、不織布繊維の表面被膜や、不織布の繊維間被膜を形成することができる。
【００３１】
また、吸水性素材の不織布としては、セルロース系高分子物質が挙げられる。
また、ドレープ本体２の大きさは、患者の体格や手術室の大きさもよるが、例えば、長さが２５００〜４０００ｍｍであるのが好ましく、２８００〜３５００ｍｍであるのがより好ましい。また、幅は、１５００〜２５００ｍｍであるのが好ましく、１８００〜２２００ｍｍであるのがより好ましい。
【００３２】
図１に示すように、ドレープ本体２には、円形をなす６つの開口部３ａ、３ｂ、３ｃ、３ｄ、３ｅおよび３ｆがそれぞれ設けられている。
【００３３】
開口部３ａは、ドレープ本体２のほぼ中央部に設けられている。
開口部３ｃは、図１中、開口部３ａの右斜め上方に設けられている。
開口部３ｅは、図１中、開口部３ｃの右斜め下方に設けられている。
【００３４】
また、開口部３ｂ、３ｄおよび３ｆは、それぞれ、開口部３ａ、３ｃおよび３ｅに対して、ドレープ本体２の幅（図１中の左右方向）の中心軸に対しほぼ線対称に設けられている。
【００３５】
ドレープ１が患者Ｐの身体を覆った使用状態（図１に示す状態）では、開口部３ａ、３ｂ、３ｃ、３ｄ、３ｅ、３ｆからは、患者Ｐの体表の一部、すなわち、術野を露出させることができる。換言すれば、使用状態で、開口部３ａ、３ｂ、３ｃ、３ｄ、３ｅ、３ｆからは、それぞれ、患者Ｐの左鼠径部Ｐ１、右鼠径部Ｐ２、左肘Ｐ３、右肘Ｐ４、左手首Ｐ５、右手首Ｐ６付近を露出させることができる。
【００３６】
なお、開口部３ａ〜３ｆは、全て、手術に用いられるとは限らず、それらのうちの一部は、用いられない場合がある。例えば、開口部３ｃが用いられない場合、開口部３ｃに、当該開口部３ｃを覆う（塞ぐ）蓋体を設けてもよい。前記蓋体を開口部３ｃに装着する（貼付する）ことにより、使用状態で、開口部３ｃが不本意に露出するのを防止することができる。
【００３７】
また、各開口部の形状は、円形であるのに限定されず、例えば、長円形（楕円形）や、四角形等の多角形であってもよい。
【００３８】
また、図３および図５に示すように、開口部３ａ〜３ｆの縁部３１の裏面（使用状態で患者側に位置する面）には、それぞれ、粘着剤層６が設けられている。これにより、使用状態で、ドレープ１（ドレープ本体２）を患者Ｐに固定することができ、よって、例えば、左肘Ｐ３に対する開口部３ｃの位置決めを確実に行うことができる、すなわち、手術中において、左肘Ｐ３に対する開口部３ｃの位置ズレが生じるのを確実に防止することができる。
【００３９】
各粘着剤層６は、主に、粘着剤（粘着性組成物）で構成されている。この粘着剤（粘着性組成物）としては、ゴム系粘着剤、アクリル系粘着剤、シリコーン系粘着剤等いずれのものでもよい。
【００４０】
各粘着剤層６の粘着面には、使用状態で剥離される剥離紙７が貼り付けられて（接合されて）いる（図３参照）。
【００４１】
剥離紙７としては、いずれのものを使用してもよく、例えば、ポリエチレンテレフタレート、ポリブチレンテレフタレート、ポリエチレン、ポリプロピレン、ポリアリレート等の各種樹脂よりなるフィルムや、ポリエチレンラミネート紙、クレーコート紙、グラシン紙、再生紙等の各種紙材の単独または組み合わせを基材とすることができる。また、この基材の粘着剤層６との接合面に、離型処理が施されていてもよい。この場合、離型処理の代表例としては、シリコーン系樹脂、長鎖アルキル系樹脂、フッ素系樹脂等の離型剤よりなる離型剤層の塗布、形成が挙げられる。
【００４２】
剥離紙７は、粘着剤層６と開口部３ａとを覆う大きさであり、剥離紙７を剥がさない状態では、粘着剤層６と開口部３ａとは、露出されない。このため、例えば、開口部３ａが使用されない場合、当該開口部３ａを閉鎖したままとすることができる。
【００４３】
図１に示すように、ドレープ本体２の端部（縁部２１）には、シート状（フィルム状の）の視認部４が設けられている。この視認部４は、使用状態で、患者Ｐが横たわるベッドに設けられた、例えばＸ線受像装置の操作盤（図示せず）を視認可能とする部位である。
【００４４】
視認部４の構成材料としては、透明（無色透明）、着色透明または半透明の樹脂材料で構成され、この樹脂材料としては、特に限定されないが、例えば、ポリエチレン、ポリプロピレン、エチレン−酢酸ビニル共重合体等のポリオレフィン、ポリウレタン、ポリアミド、ポリエステル、ポリカーボネート、ポリ塩化ビニル等の各種樹脂材料が挙げられる。
【００４５】
図１に示すように、ドレープ本体２の開口部３ａ、３ｂ、３ｃ、３ｄ、３ｅおよび３ｆには、それぞれ、帯体５ａ、５ｂ、５ｃ、５ｄ、５ｅおよび５ｆが連結されている。
【００４６】
帯体５ａ、５ｂ、５ｃ、５ｄ、５ｅおよび５ｆの構成は、それぞれ、ほぼ同一であるため、以下、帯体５ａと、帯体５ａに対応する開口部３ａ（帯体５ａと連結された開口部３ａ）とを代表的に説明する。
【００４７】
図２および図３に示すように、帯体５ａは、形状が短冊状をなすものであり、その両端がそれぞれ、破断部（第１の破断部）５１１および５１２を介して、開口部３ａの縁部３１（内周部）に連結されている。また、裏面５２には、粘着剤で構成された粘着剤層９が形成されている。
【００４８】
破断部５１１および５１２は、それぞれ、ミシン目で構成されている。これにより、破断部５１１および５１２をそれぞれ、必要時に容易に破断することができる。
【００４９】
なお、破断部５１１および５１２は、それぞれ、帯体５ａの両端に設けられているのに限定されず、例えば、一方または双方の破断部が帯体５ａの長手方向の途中に設けられていてもよい。
【００５０】
図４および図５に示すように、帯体５ａは、破断部５１１および５１２をそれぞれ破断した状態で、ドレープ本体２から離脱することができる。この状態で、帯体５ａは、イントロデューサ１０等の医療器具を、開口部３ａから露出した患者Ｐの左鼠径部Ｐ１に確実に固定することができる（以下、この状態を「固定状態」という）。ここで、「イントロデューサ１０」とは、カテーテルやガイドワイヤ等のような医療に用いられる長尺部材を生体内へ導入するときに使用される医療器具である。
【００５１】
また、図２（図３も同様）の実施形態においては、帯体５ａは、開口部３ａをほぼ２等分する位置、すなわち、開口部３ａの中心を通過するように当該開口部３ａを横断する位置に配置されている。
【００５２】
なお、帯体５ａは、ドレープ本体２について説明したのと同様の不織布で構成されているのが好ましい。これにより、帯体５ａの材料費を抑制することができる、すなわち、ドレープ１と帯体５ａとの合計製造コストを抑制することができる。
【００５３】
図３および図５に示すように、帯体５ａの裏面５２には、全面に粘着剤層９が形成されている。
【００５４】
なお、この粘着剤層９は、帯体５ａの両端部５４１および５４２を除く部分に形成されていてもよい。その場合、両端部５４１および５４２は、固定状態で、それぞれ、左鼠径部Ｐ１から離間している（図５参照）。
【００５５】
これにより、手術後に、両端部５４１および５４２の一方または双方に指を掛けて、左鼠径部Ｐ１から帯体５ａを容易に剥離し、除去することができる。
【００５６】
また、粘着剤層９を構成する粘着剤としては、特に限定されないが、例えば、ドレープ本体２に形成されている粘着剤層６と同様の粘着剤を用いることができる。これにより、ドレープ１を製造するとき、粘着剤層６および粘着剤層９を一括して（１工程で）形成することができる。すなわち、ドレープ１を少ない工程数で、容易に製造することができる。よって、ドレープ１の製造コストを抑制することができる。
【００５７】
図３に示すように、粘着剤層９には、帯体５ａがイントロデューサ１０を固定するときに剥離される剥離紙８が貼り付けられている。
【００５８】
この剥離紙８により、未使用状態の粘着剤層９を覆うことができ、よって、当該粘着剤層９（帯体５ａ）が不本意に、例えば患者Ｐの体表に接触するのを確実に防止することができる。また、粘着剤層９の粘着力の低下を確実に防止することができる。
【００５９】
また、粘着剤層９が帯体５ａに接合する力（粘着力）は、粘着剤層９が患者Ｐの体表に接合する力より大きいのが好ましい。これにより、固定状態の帯体５ａを患者Ｐの左鼠径部Ｐ１から剥離したとき、粘着剤層９が帯体５ａから離脱して（剥がれて）左鼠径部Ｐ１に残留するのを確実に防止することができる。
【００６０】
なお、剥離紙８としては、特に限定されないが、例えば、剥離紙７の説明で挙げたものと同様のものを用いることができる。
【００６１】
また、剥離紙８と剥離紙７とは、本実施形態のように互いに別体で構成されていてもよいし、互いに連結されていてもよい。剥離紙８と剥離紙７とが互いに別体で構成されていている場合、剥離紙７と剥離紙８とは重なった状態となるので、まず、剥離紙７を剥離して、その後、剥離紙８を剥離することができる。また、剥離紙８と剥離紙７とが互いに連結されていている場合、一回の剥離操作で、剥離紙７および８を一括して剥離することができる。
【００６２】
また、帯体５ａの粘着剤層９と反対側の面、すなわち、帯体５ａの表面５３は、疎水性を有するものであってもよい。これにより、固定状態の帯体５ａが、患者Ｐから流出した体液（例えば、血液）や生理食塩水等の液体に接触しても、粘着剤層９の粘着力が低下して不本意に剥離するのが防止される。
【００６３】
帯体５ａの表面５３に疎水性を担持させるための疎水性担持手段としては、特に限定されないが、例えば、帯体５ａの表面５３に疎水化処理を施す方法が挙げられる。
【００６４】
疎水化処理としては、例えば、ポリテトラフルオロエチレン（ＰＴＦＥ）、エチレン−テトラフルオロエチレン共重合体等のフッ素系樹脂等の撥水性材料（疎水性材料）で構成された被膜の形成等が挙げられる。
【００６５】
また、前記疎水性担持手段としては、帯体５ａの表面５３に疎水化処理を施す方法の他に、帯体５ａ自体を前記撥水性材料で構成する方法も挙げられる。
【００６６】
以上のように構成された帯体５ａ（帯体５ｂ、５ｃ、５ｄ、５ｅおよび５ｆも同様）は、当該帯体５ａをドレープ１から破断するのみで、イントロデューサ１０を患者Ｐに固定する手段として用いることができる。このため、従来のようにイントロデューサ１０を患者Ｐに固定するための固定用テープを別途用意する等の煩わしさから開放され、手術の際の準備が簡単となる。
【００６７】
また、帯体５ａは、開口部３ａを横断するように設けられているため、ドレープ１（ドレープ本体２）の外形（長方形）を維持することができる。これにより、例えば帯体５ａをドレープ１の縁部２１から突出するように設けた場合と比べて、ドレープ１の構成材料の使用量を抑制することができ、よって、ドレープ１の製造コストを抑制することができる。
【００６８】
なお、より長い帯体が必要となる場合は、他の開口部の帯体を使用することができる。
本実施形態のドレープ１の製造方法は、以下のものが好ましい。
【００６９】
［１］  まず、所定の寸法に裁断されたドレープ本体２を準備し、次いで、開口部となる部分の周囲および帯体となる部分に、粘着剤層６を形成するため、一方の面に剥離紙が設けられた両面粘着テープを貼り付ける。
【００７０】
［２］  次に、開口部となる部分を切り欠いて開口部および帯体を形成し、帯体の端部にミシン目（破断部）を形成する。その後、開口部の周囲部分のみの剥離紙を剥離するが、このとき、帯体の部分の剥離紙は剥離せず、剥離紙８として、そのまま残しておく。
【００７１】
［３］  最後に、開口部、帯体および開口部の周囲全体に別途用意した剥離紙７を貼り付ける。この剥離紙７は、開口部の周囲部分の粘着剤層６の粘着力により固定される。
【００７２】
次に、ドレープ１の使用方法の一例について詳細に説明する。ここでは、患者Ｐの左鼠径部Ｐ１に手術を施す場合を例に挙げる。
【００７３】
［１］  まず、開口部３ａの粘着剤層６から剥離紙７を剥離し、粘着剤層６を介してドレープ１を左鼠径部Ｐ１の周辺に合わせる。これにより、開口部３ａから帯体５ａを破断したとき、開口部３ａから左鼠径部Ｐ１が確実に露出する。
【００７４】
［２］  次に、ドレープ１の開口部３ａと左鼠径部Ｐ１とがほぼ一致するように、ドレープ１を患者Ｐを覆った状態とする、すなわち、使用状態とする（図１参照）。
【００７５】
［３］  次に、帯体５ａの破断部５１１および５１２をそれぞれ破断して、ドレープ本体２から帯体５ａを取り外す。
【００７６】
［４］  次に、左鼠径部Ｐ１にイントロデューサ１０を穿刺する（挿入する）。その後、前記［３］で取り外された帯体５ａから剥離紙８を剥離し、当該帯体５ａでイントロデューサ１０を左鼠径部Ｐ１に固定する（図４および図５参照）。
【００７７】
このようにドレープ１を用いることにより、イントロデューサ１０を容易かつ確実に固定することができ、よって、患者Ｐへの迅速な手術を行うことができる。
【００７８】
＜第２実施形態＞
図６は、本発明のドレープの第２実施形態を示す平面図である。
【００７９】
以下、この図を参照して本発明のドレープの第２実施形態について説明するが、前述した実施形態との相違点を中心に説明し、同様の事項はその説明を省略する。
本実施形態は、帯体の構成が異なること以外は前記第１実施形態と同様である。
【００８０】
図６に示す帯体５ｇは、その一端のみが破断部５１２を介して開口部３ａの縁部３１に連結されたものである。
【００８１】
帯体５ｇは、その一端のみが開口部３ａの縁部３１に連結されているため、破断部５１２のみを破断することにより、ドレープ本体２から迅速に取り外すことができる。また、破断部５１２を破断しなくても使用することができる。
これにより、迅速な手術を行うことができる。
【００８２】
＜第３実施形態＞
図７は、本発明のドレープの第３実施形態を示す平面図である。
【００８３】
以下、この図を参照して本発明のドレープの第３実施形態について説明するが、前述した実施形態との相違点を中心に説明し、同様の事項はその説明を省略する。
本実施形態は、帯体の構成が異なること以外は前記第１実施形態と同様である。
【００８４】
図７に示す帯体５ｈには、その長手方向に沿ったミシン目（第２の破断部）５５が設けられている。このミシン目５５は、破断部５１１から破断部５１２にわたって形成されている。
【００８５】
このような帯体５ｈは、破断部５１１および５１２をそれぞれ破断してドレープ本体２から取り外された後、さらに、ミシン目５５を破断することができる。これにより、帯体５ｈを２本の小帯体５６１および５６２に分割することができる。
【００８６】
固定状態では、各小帯体５６１および５６２を、イントロデューサ１０の長手方向の異なる位置に配置してもよい。これにより、イントロデューサ１０をより確実に固定することができる。
【００８７】
＜第４実施形態＞
図８は、本発明のドレープの第４施形態を示す平面図である。
【００８８】
以下、この図を参照して本発明のドレープの第４実施形態について説明するが、前述した実施形態との相違点を中心に説明し、同様の事項はその説明を省略する。
本実施形態は、帯体の設置数が異なること以外は前記第１実施形態と同様である。
【００８９】
まず、開口部３ｇの形状ついて説明する。
図８に示す開口部３ｇは、その形状が長円形（小判型）をなしている。これにより、開口部３ｇから露出する体表の面積を大きく設定することができ、手術を容易に行うことができる、すなわち、イントロデューサ１０を容易に固定することができる。
【００９０】
開口部３ｇの長径方向の異なる位置には、２本の帯体５ｉおよび５ｊがほぼ平行に配置されている。
【００９１】
固定状態では、各帯体５ｉおよび５ｊを、イントロデューサ１０の長手方向の異なる位置に配置してもよい。これにより、イントロデューサ１０をより確実に固定することができる。
【００９２】
以上、本発明のドレープを図示の実施形態について説明したが、本発明は、これに限定されるものではなく、ドレープを構成する各部は、同様の機能を発揮し得る任意の構成のものと置換することができる。また、任意の構成物が付加されていてもよい。
【００９３】
また、本発明のドレープは、前記各実施形態のうちの、任意の２以上の構成（特徴）を組み合わせたものであってもよい。
【００９４】
例えば、第１実施形態の６本の帯体のうちの少なくとも１本の帯体が、前記第２実施形態とほぼ同様の帯体で構成されていてもよい。
【００９５】
また、第１実施形態の６本の帯体のうちの少なくとも１本の帯体が、前記第３実施形態とほぼ同様の帯体で構成されていてもよい。
【００９６】
また、第１実施形態の６本の帯体のうちの少なくとも１本の帯体が、前記第４実施形態とほぼ同様の帯体で構成されていてもよい。
【００９７】
また、各帯体は、各開口部を横断するように設けられているのに限定されず、例えば、ドレープ本体の縁部から突出するように設けられていてもよい。
【００９８】
また、粘着剤層は、帯体の両端部を除く部分に形成されているが、これに限定されず、帯体の両端部の一方の端部のみを除く部分に形成されていてもよい。
【００９９】
また、ドレープ本体２は、単層のものであってもよいし、積層されたものであってもよい。
【０１００】
また、開口部の設置数は、６つであるのに限定されず、例えば、１つ、２つ、３つ、４つ、５つ、７つ以上であってもよい。
【０１０１】
また、開口部の形状は、円形や長円形に限定されず、例えば、正方形や長方形等の四角形であってもよい。
【０１０２】
また、各開口部には、術野を清潔に保つためのドレッシングテープが設けられていてもよい。
【図面の簡単な説明】
【０１０３】
【図１】本発明のドレープの第１実施形態を示す平面図である。
【図２】図１中の一点鎖線で囲まれた領域［Ａ］の拡大詳細図である。
【図３】図１中の一点鎖線で囲まれた領域［Ａ］を紙面奥側（裏側）から見た拡大詳細図である。
【図４】図１に示すドレープの使用状態を示す図である。
【図５】図４中のＢ−Ｂ線断面図である。
【図６】本発明のドレープの第２実施形態を示す平面図である。
【図７】本発明のドレープの第３実施形態を示す平面図である。
【図８】本発明のドレープの第４施形態を示す平面図である。
【符号の説明】
【０１０４】
１            ドレープ
２            ドレープ本体
２１          縁部
３ａ、３ｂ、３ｃ、３ｄ、３ｅ、３ｆ、３ｇ  開口部
３１          縁部
４            視認部
５ａ、５ｂ、５ｃ、５ｄ、５ｅ、５ｆ、５ｇ、５ｈ、５ｉ、５ｊ  帯体
５１１、５１２  破断部（第１の破断部）
５２          裏面
５３          表面
５４１、５４２  端部
５５          ミシン目（第２の破断部）
５６１、５６２  小帯体
６            粘着剤層
７、８        剥離紙
９            粘着剤層
１０          イントロデューサ
Ｐ            患者
Ｐ１          左鼠径部
Ｐ２          右鼠径部
Ｐ３          左肘
Ｐ４          右肘
Ｐ５          左手首
Ｐ６          右手首
【図１】
2007195825.tif 000003
【図２】
2007195825.tif 000004
【図３】
2007195825.tif 000005
【図４】
2007195825.tif 000006
【図５】
2007195825.tif 000007
【図６】
2007195825.tif 000008
【図７】
2007195825.tif 000009
【図８】
2007195825.tif 000010